(57)【要約】【課題】情報処理装置の負担を軽減して画像を表示する表示システム、表示装置、情報処理装置、表示方法、および情報処理方法を提供する。【解決手段】情報処理装置２には、表示装置に所定の画像を表示させるための、画像データＤ＿Ｐ、画像データＤ＿Ｐに応じた画像効果処理を施す制御データＤ＿ＣＴＬ、およびアドレスデータＤ＿Ａを含む表示用データを生成するＣＰＵ２６と、ＩＦ２１とを設ける。表示装置３には、ＩＦ３１と、表示用データに含まれる画像データＤ＿Ｐの画像効果処理を制御データＤ＿ＣＴＬに基づいて行い、第２の表示用データを生成する制御部３４と、アドレスデータＤ＿Ａに基づいて、制御部３４で生成された第２の表示用データを記憶するフレームメモリ３５と、フレームメモリに記憶されている第２の表示用データに応じた画像を表示するタイミングコントローラ３６と表示部３７とを設ける。【選択図】　図２
2004144922.tif 000002
【特許請求の範囲】
【請求項１】
情報処理装置と表示装置とを有する表示システムであって、
前記情報処理装置は、
前記表示装置に所定の画像を表示させるための、画像データ、および当該画像データに画像効果処理を施す制御データを含む第１の表示用データを生成する表示用データ生成手段と、
前記表示装置とデータ通信を行う第１の通信手段とを有し、
前記表示装置は、
前記情報処理装置と、データ通信を行う第２の通信手段と、
前記第２の通信手段で受信された前記第１の表示用データに含まれる前記画像データの画像効果処理を前記制御データに基づいて行って、第２の表示用データを生成する制御手段と、
前記第２の表示用データに応じた画像を表示する表示手段とを有する
表示システム。
【請求項２】
前記表示データ生成手段は、前記画像データ、前記制御データ、およびアドレス情報を含む前記第１の表示用データを生成し、
前記表示装置は、前記アドレス情報に基づいて、前記制御手段で生成された前記第２の表示用データを記憶する記憶手段を有し、
前記表示手段は、前記記憶手段に記憶されている前記第２の表示用データに応じた画像を表示する表示手段とを有する
請求項１に記載の表示システム。
【請求項３】
前記表示用データ生成手段は、画像を拡大させる拡大処理制御データ、画像を縮小させる縮小処理制御データ、および画像を回転させる回転処理制御データのいずれかを含む制御データを生成し、
前記制御手段は、前記制御データに前記拡大処理制御データが含まれている場合には、当該拡大処理制御データおよび前記画像データに基づいて、画像を拡大させる処理を行い、
前記制御データに前記縮小処理制御データが含まれている場合には、当該縮小処理制御データおよび前記画像データに基づいて、画像を縮小させる処理を行い、
前記制御データに前記回転処理制御データが含まれている場合には、当該回転処理制御データおよび前記画像データに基づいて、画像を回転させる処理を行う
請求項１に記載の表示システム。
【請求項４】
複数の表示装置を有し、
前記表示装置それぞれは、当該表示装置を識別するための識別情報を記憶する識別情報記憶手段を有し、
前記表示用データ生成手段は、所定の画像を表示させるべき前記表示装置の識別情報を含む前記第１の表示用データを生成し、
前記制御手段は、前記第２の通信手段で受信された前記第１の表示用データに含まれる前記識別情報が、当該表示装置の識別情報記憶手段に記憶されている識別情報と一致する場合には、当該第１の表示用データに含まれる前記画像データの画像効果処理を前記制御データに基づいて行って、前記第２の表示用データを生成する
請求項１に記載の表示システム。
【請求項５】
画像データ、当該画像データに画像効果処理を施す制御データを含む第１の表示用データを生成する情報処理装置とデータ通信を行い、画像表示を行う表示装置であって、
前記情報処理装置とデータ通信を行う通信手段と、
前記通信手段で受信された、前記第１の表示用データに含まれる画像データの画像効果処理を前記制御データに基づいて行って、第２の表示用データを生成する制御手段と、
前記第２の表示用データに応じた画像を表示する表示手段とを有する
表示装置。
【請求項６】
前記情報処理装置は、前記画像データ、前記制御データ、およびアドレス情報を含む前記第１の表示用データを生成し、
前記表示装置は、前記アドレス情報に基づいて前記制御手段で生成された前記第２の表示用データを記憶する記憶手段を有し、
前記表示手段は、前記記憶手段に記憶されている前記第２の表示用データに応じた画像を表示する
請求項５に記載の表示装置。
【請求項７】
前記情報処理装置は、画像を拡大させる拡大処理制御データ、画像を縮小させる縮小処理制御データ、および画像を回転させる回転処理制御データのいずれかを含む制御データを生成し、
前記制御手段は、前記制御データに前記拡大処理制御データが含まれている場合には、当該拡大処理制御データおよび前記画像データに基づいて、画像を拡大させる処理を行い、
前記制御データに前記縮小処理制御データが含まれている場合には、当該縮小処理制御データおよび前記画像データに基づいて、画像を縮小させる処理を行い、
前記制御データに前記回転処理制御データが含まれている場合には、当該回転処理制御データおよび前記画像データに基づいて、画像を回転させる処理を行う
請求項５に記載の表示装置。
【請求項８】
前記表示装置それぞれは、当該表示装置を識別するための識別情報を記憶する識別情報記憶手段を有し、
前記情報処理装置は、所定の画像を表示させるべき表示装置の識別情報を含む第１の表示用データを出力し、
前記制御手段は、前記通信手段で受信された前記第１の表示用データに含まれる前記識別情報が、当該表示装置の識別情報記憶手段に記憶されている識別情報と一致する場合には、当該第１の表示用データに含まれる画像データの画像効果処理を前記制御データに基づいて行って前記第２の表示用データを生成する
請求項５に記載の表示装置。
【請求項９】
それぞれ固有の識別情報を有する複数の表示装置とデータ通信し、所定の識別情報を含む表示用データを送信して所定の画像を表示させる情報処理装置であって、
前記表示装置は、前記固有の識別情報と、前記表示用データに含まれる識別情報とが一致した場合には、当該表示用データに含まれる画像データ、前記画像データに画像効果処理を施す制御データに応じた前記所定の画像の表示を行い、
前記情報処理装置は、
前記表示装置とデータ通信を行う通信手段と、
前記所定の表示装置に表示されている画像と、当該表示装置に表示せる所定の画像データに応じて、当該表示装置の識別情報、前記画像データ、および前記制御データを含む表示用データを生成する表示用データ生成手段とを有する
情報処理装置。
【請求項１０】
前記表示装置は、アドレス情報に基づいて、前記制御手段で生成された第２の表示用データを記憶する記憶手段を有し、
前記表示データ生成手段は、前記画像データ、前記制御データ、および前記アドレス情報を含む前記第１の表示用データを生成する
請求項９に記載の情報処理装置。
【請求項１１】
画像データ、および当該画像データに画像効果処理を施す制御データを含む第１の表示用データを生成する情報処理装置とデータ通信を行い、画像表示を行う表示装置の表示方法であって、
前記情報処理装置とデータ通信を行い、前記第１の表示用データに含まれる画像データの画像効果処理を前記制御データに基づいて行って、第２の表示用データを生成し、
前記生成された第２の表示用データに応じた画像を表示する
表示方法。
【請求項１２】
それぞれ固有の識別情報を有する複数の表示装置とデータ通信し、所定の識別情報を含む表示用データを送信して所定の画像を表示させる情報処理装置の情報処理方法であって、
前記表示装置は、前記固有の識別情報と、前記表示用データに含まれる識別情報とが一致した場合には、当該表示用データに含まれる画像データ、および前記画像データに画像効果処理を施す制御データに応じた前記所定の画像の表示を行い、
前記情報処理装置は、
前記表示装置とデータ通信を行い、
前記所定の表示装置に表示されている画像と、当該表示装置に表示せる所定の画像データに応じて、当該表示装置の識別情報、前記画像データ、および前記制御データを含む表示用データを生成し、前記表示装置に出力する
情報処理方法。
【発明の詳細な説明】
【０００１】
【発明の属する技術分野】
本発明は、例えば、画像を表示する表示システム、表示装置、情報処理装置、表示方法、および情報処理方法に関するものである。
【０００２】
【従来の技術】
従来、例えばパーソナルコンピュータ（ＰＣ）等の情報処理装置から出力された画像データを表示する表示装置が知られている。
例えば、上述の情報処理装置は、表示装置に所定の画像を表示させたい場合には、画像処理を行い、その画像処理の結果の画像データを表示装置に出力する。そして上述の表示装置では、例えば、その画像データをフレームメモリに記憶し、その記憶された画像データに応じた表示を行っている。
【０００３】
【発明が解決しようとする課題】
しかし、上述の情報処理装置では、表示装置に表示させるための画像処理の負荷が大きい場合がある。
また、情報処理装置に接続された表示装置が多くなると、さらに情報処理装置で行う画像処理の負荷が大きくなる。
【０００４】
本発明は、かかる事情に鑑みてなされたものであり、その目的は、情報処理装置の処理の負荷を軽減して画像を表示する表示システム、表示装置、情報処理装置、表示方法、および情報処理方法を提供することにある。
【０００５】
【課題を解決するための手段】
前記目的を達成するために、第１の発明の表示システムは、情報処理装置と表示装置とを有する表示システムであって、前記情報処理装置は、前記表示装置に所定の画像を表示させるための、画像データ、および当該画像データに画像効果処理を施す制御データを含む第１の表示用データを生成する表示用データ生成手段と、前記表示装置とデータ通信を行う第１の通信手段とを有し、前記表示装置は、前記情報処理装置と、データ通信を行う第２の通信手段と、前記第２の通信手段で受信された前記第１の表示用データに含まれる前記画像データの画像効果処理を前記制御データに基づいて行って、第２の表示用データを生成する制御手段と、前記第２の表示用データに応じた画像を表示する表示手段とを有する。
【０００６】
第１の発明の表示システムにおいて、情報処理装置において、表示用データ生成手段では、表示装置に所定の画像を表示させるための、画像データ、および当該画像データに画像効果処理を施す制御データを含む第１の表示用データが生成される。
第１の通信手段では、表示装置とデータ通信が行われる。
表示装置において、第２の通信手段では、情報処理装置と、データ通信が行われる。
制御手段では、第２の通信手段で受信された第１の表示用データに含まれる画像データの画像効果処理を制御データに基づいて行って、第２の表示用データが生成される。
表示手段では、第２の表示用データに応じた画像が表示される。
【０００７】
さらに、前記目的を達成するために第２の発明の表示装置は、画像データ、当該画像データに画像効果処理を施す制御データを含む第１の表示用データを生成する情報処理装置とデータ通信を行い、画像表示を行う表示装置であって、前記情報処理装置とデータ通信を行う通信手段と、前記通信手段で受信された、前記第１の表示用データに含まれる画像データの画像効果処理を前記制御データに基づいて行って、第２の表示用データを生成する制御手段と、前記第２の表示用データに応じた画像を表示する表示手段とを有する。
【０００８】
さらに、前記目的を達成するために、第３の発明の情報処理装置は、それぞれ固有の識別情報を有する複数の表示装置とデータ通信し、所定の識別情報を含む表示用データを送信して所定の画像を表示させる情報処理装置であって、前記表示装置は、前記固有の識別情報と、前記表示用データに含まれる識別情報とが一致した場合には、当該表示用データに含まれる画像データ、前記画像データに画像効果処理を施す制御データに応じた前記所定の画像の表示を行い、前記情報処理装置は、前記表示装置とデータ通信を行う通信手段と、前記所定の表示装置に表示されている画像と、当該表示装置に表示せる所定の画像データに応じて、当該表示装置の識別情報、前記画像データ、および前記制御データを含む表示用データを生成する表示用データ生成手段とを有する。
【０００９】
さらに、前記目的を達成するために、第４の発明の表示方法は、画像データ、および当該画像データに画像効果処理を施す制御データを含む第１の表示用データを生成する情報処理装置とデータ通信を行い、画像表示を行う表示装置の表示方法であって、前記情報処理装置とデータ通信を行い、前記第１の表示用データに含まれる画像データの画像効果処理を前記制御データに基づいて行って、第２の表示用データを生成し、前記生成された第２の表示用データに応じた画像を表示する。
【００１０】
さらに、前記目的を達成するために、第５の発明の情報処理方法は、表示方法は、それぞれ固有の識別情報を有する複数の表示装置とデータ通信し、所定の識別情報を含む表示用データを送信して所定の画像を表示させる情報処理装置の情報処理方法であって、前記表示装置は、前記固有の識別情報と、前記表示用データに含まれる識別情報とが一致した場合には、当該表示用データに含まれる画像データ、および前記画像データに画像効果処理を施す制御データに応じた前記所定の画像の表示を行い、前記情報処理装置は、前記表示装置とデータ通信を行い、前記所定の表示装置に表示されている画像と、当該表示装置に表示せる所定の画像データに応じて、当該表示装置の識別情報、前記画像データ、および前記制御データを含む表示用データを生成し、前記表示装置に出力する。
【００１１】
【発明の実施の形態】
図１は、本発明に係る表示システムの一実施の形態を示す全体図である。
本実施の形態に係る表示システム１は、例えば図１に示すように、情報処理装置２、および表示装置３を有する。
情報処理装置２と表示装置３は、例えばデータ通信可能なデータ回線Ｌで接続されている。
表示装置３は、複数の表示装置、例えば図１に示すように、表示装置３−１〜３を有する。表示装置３それぞれは、例えば、ＨＵＢ４を介して情報処理装置２と接続されている。
例えば、情報処理装置２は、パーソナルコンピュータ（ｐｃ）やＰＤＡ（Ｐｅｒｓｏｎａｌ　ｄｉｇｉｔａｌ　ａｓｓｉｓｔａｎｔ）や携帯型情報端末等の画像データを扱う情報処理装置である。
【００１２】
図２は、図１に示した表示システムの情報処理装置と表示装置の構成を示すブロック図である。
情報処理装置
情報処理装置２は、例えば図２に示すように、ＩＦ２１、入力部２２、表示部２３、外部記憶部２４、メモリ２５、およびＣＰＵ２６を有する。
ＩＦ２１、入力部２２、表示部２３、外部記憶部２４、メモリ２５、およびＣＰＵ２６は、バスＢＳにより接続されている。
ＩＦ２１は本発明に係る第１の通信手段に相当し、ＣＰＵ２６は本発明に係る表示用データ生成手段に相当する。
【００１３】
ＩＦ（Ｉｎｔｅｒｆａｃｅ）２１は、所定のデータ回線Ｌを介して、表示装置３とデータ通信を行う。
ＩＦ２１は、例えば、ＵＳＢＩＦ（Ｕｎｉｖｅｒｓａｌ　ｓｅｒｉａｌ　ｂｕｓ　ｉｎｔｅｒｆａｃｅ）であり、ＵＳＢケーブルを介して表示装置３のＩＦと接続し、所定のＵＳＢの規格に応じたデータ通信を行う。
【００１４】
例えば、ＩＦ２１として、ＵＳＢＩＦを用いた場合には、表示装置３をＵＳＢのペリフェラル機器（周辺機器）として、情報処理装置２に認識させることができる。また、ＵＳＢＩＦを用いた場合には１２７台（具体的にはＨＵＢ４も１つの周辺機器として数えるために最大で約１００台）の表示装置３を接続することができる。
【００１５】
また、ＵＳＢの規格には、例えば転送速度１２Ｍｂｐｓ（ｂｉｔ　ｐｅｒ　ｓｅｃｏｎｄ）の規格と、転送速度４８０Ｍｂｐｓの規格があり、高速な転送速度の規格のＵＳＢを用いることが好ましい。
また、ＵＳＢの規格には、ＯＴＧ（Ｏｎ−Ｔｈｅ−Ｇｏ　）という規格がある。このＵＳＢＯＴＧは、例えば情報処理装置（ｐｃ）２をホストとすることなく周辺機器（例えばデジタルカメラ、プリンタや、ディスプレイ等）同士で接続できる規格である。
【００１６】
図３は、図１に示した表示システムに係る通信データのフォーマットの一具体例を示す図である。
情報処理装置２と表示装置３は、データ通信を行う。
例えば、通信されるデータは、例えば図３に示すように、識別情報Ｄ＿ＩＤ、制御データＤ＿ＣＴＬ、画像データＤ＿Ｐ、およびアドレスデータＤ＿Ａを有する。
【００１７】
識別情報Ｄ＿ＩＤは、表示装置３それぞれに固有の識別情報である。
制御データＤ＿ＣＴＬは、例えば表示装置３に、画像データＤ＿Ｐに対して所定の画像効果処理を施すデータ（コマンド）を含む。
制御データＤ＿ＣＴＬは、例えば具体的には、縮小処理制御データ、拡大処理制御データ、および回転処理制御データ等を含む。
【００１８】
縮小処理制御データは、例えば画像の縮小率を示すデータを含み、表示装置３に、所定の画像データＤ＿Ｐに基づいて所定の縮小率の画像を生成させる。
拡大処理制御データは、例えば画像の拡大率を示すデータを含み、表示装置３に、所定の画像データＤ＿Ｐに基づいて所定の拡大率の画像を生成させる。
回転処理制御データは、例えば画像の回転角度を示すデータを含み、表示装置３に、所定の画像データＤ＿Ｐに基づいて所定の回転角度の画像を生成させる。
【００１９】
画像データＤ＿Ｐは、表示装置３に表示させる画像データである。
アドレスデータＤ＿Ａは、例えば、表示装置３のフレームメモリのアドレスを指定するためのデータである。
また、アドレスデータＤ＿Ａは、後述するように画像の所定のブロックの位置を示すデータであってもよい。
【００２０】
入力部２２は、例えば、キーボードや、マウス等の入力装置であり、例えば、ユーザによる操作に応じたデータを生成し、生成したデータをＣＰＵ２６に出力する。ＣＰＵ２６は、入力部２２から出力されたデータに応じた所定の処理を行う。
例えば後述するように、ＧＵＩ（Ｇｒａｐｈｉｃａｌ　ｕｓｅｒ　ｉｎｔｅｒｆａｃｅ）を用いることで、ユーザはマウス等を操作して所定の処理を情報処理装置２に行わせることができる。
【００２１】
表示部２３は、ＣＰＵ２６の制御により所定の画像を表示する。
外部記憶部２４は、例えば所定の処理を行うプログラムや、所定のデータを記憶する。例えば外部記憶部２４は、ハードディスク等の記憶装置である。ＣＰＵ２６は、外部記憶部２４に記憶されている所定のプログラムや所定のデータを読出し、所定の処理を行う。ＣＰＵ２６は所定のデータ等を外部記憶部２４に記憶させる。
【００２２】
メモリ２５は、所定のデータを記憶する。例えばメモリ２５は、ＲＡＭ（Ｒａｎｄｏｍ　ａｃｃｅｓｓ　ｍｅｍｏｒｙ）やＲＯＭ（Ｒｅａｄ　ｏｎｌｙ　ｍｅｍｏｒｙ）等により構成される。メモリ２５は、例えば図２に示すように、表示装置３に対応する表示用データ、例えば複数の表示装置３−１〜３それぞれに対応する表示用データｄ−１〜３を記憶する。
表示用データｄそれぞれは、表示装置３それぞれに表示されている画像に関するデータである。
【００２３】
ＣＰＵ２６は、外部記憶部２４、メモリ２５に記憶されている所定のデータに応じた処理を行う。
ＣＰＵ２６は、例えば図２に示すように、生成部２６１を有する。
生成部２６１は、表示装置３に所定の画像を表示させるための、識別情報、画像データＤ＿Ｐ、画像データＤ＿Ｐに応じた画像効果処理を施す制御データＤ＿ＣＴＬ、およびアドレスデータＤ＿Ａを含む表示用データを生成する。
【００２４】
また、生成部２６１は、例えば、表示装置３に表示されている画像と、表示させたい画像データとを比較し、比較の結果、差分データを生成し、その差分データを表示用データとして表示装置３に出力してもよい。
具体的には、表示装置３に表示されている画像に関するデータはメモリ２５に記憶されており、生成部２６１はそのデータに基づいて表示用データを生成する。
【００２５】
図４は、図１に示した表示システムの画像データの一具体例を説明するための図である。
生成部２６１は、例えば図４に示すように、画像を所定の大きさのブロック（例えば４×４画素のブロック）ごとの画像データを送受信する。
【００２６】
生成部２６１は、例えば図４に示すように、表示装置３に表示されている画像と、表示させる画像データとを比較して、変更のある所定の大きさのブロック（差分のあるブロック）に関するデータのみを、表示用データとして出力してもよい。この場合、アドレスデータＤ＿Ａは、例えば後述する表示装置３で表示される画像のブロックの位置を示すデータである。
アドレスデータＤ＿Ａは、例えば図４に示したように、変更のあるブロックが座標（３，３）である場合には（３，３）を示すデータである。
【００２７】
図５は、図１に示した情報処理装置の処理を説明するための図である。
例えば情報処理装置２は、ＧＵＩ（Ｇｒａｐｈｉｃａｌ　ｕｓｅｒ　ｉｎｔｅｒｆａｃｅ）を用いて、ユーザの操作に応じた処理を行う。ＣＰＵ２６は、例えば図５に示すような画面を表示部２３に表示させ、ユーザ等により入力部２２のマウスやキーボード等の操作により入力されたデータに応じた処理を行う。
【００２８】
具体的には、ＣＰＵ２６は、例えば図５に示すように表示部２３に、接続された表示装置３を示す所定の領域ｄを表示させる。例えば、この領域ｄには表示装置３に表示されている画像の縮小画像を表示させてもよい。
【００２９】
情報処理装置２に複数の表示装置３、例えば図１に示すように表示装置３−１〜３が接続されている場合には、ＣＰＵ２６は、図５に示すように表示装置３−１〜３それぞれに対応する領域ｄ−１〜３を表示部２３に表示させる。
【００３０】
ＣＰＵ２６は、例えば、所定の表示装置３に表示させたいファイルを示すファイルアイコンｆが、ユーザによる入力部２２の操作により、表示装置３を示す領域ｄにドラッグアンドドロップされると、上述したように表示装置３に表示されている画像と、そのファイルの差分をとり、表示用データを生成する。
【００３１】
また、ＣＰＵ２６は、所定の画像データに所定の画像効果を処理させて、表示装置３の所定の表示位置に表示させたい場合には、表示装置３に所定の画像処理を行わせる制御データＤ＿ＣＴＬと画像データＤ＿Ｐを含む表示用データを生成する。
【００３２】
具体的には、ＣＰＵ２６は、所定の画像データＤ＿Ｐを縮小して所定の表示位置に表示させたい場合には、その表示位置を示すアドレスデータＤ＿Ａと、画像の縮小率を示すデータを含む縮小処理制御データと、画像データＤ＿Ｐを含む表示用データを生成する。
【００３３】
ＣＰＵ２６は、所定の画像データＤ＿Ｐを拡大して所定の表示位置に表示させたい場合には、その表示位置を示すアドレスデータＤ＿Ａと、画像の拡大率を示すデータを含む拡大処理制御データと、画像データＤ＿Ｐを含む表示用データを生成する。
【００３４】
ＣＰＵ２６は、所定の画像データＤ＿Ｐを回転して所定の表示位置に表示させたい場合には、その表示位置を示すアドレスデータＤ＿Ａと、画像の回転角度を示すデータを含む回転処理制御データと、画像データＤ＿Ｐを含む表示用データを生成する。
【００３５】
ＣＰＵ２６は、所定の画像を所望の表示装置３に表示させたい場合には、その表示装置３の識別情報Ｄ＿ＩＤを含む表示用データを生成する。例えば表示装置３では、その表示用データに含まれる識別情報Ｄ＿ＩＤが識別情報記憶部に記憶されている識別情報と一致した場合には、表示用データに応じた所定の処理を行う。
【００３６】
表示装置
表示装置３は、例えば図２に示すように、ＩＦ３１、識別情報記憶部３２、メモリ３３、制御部３４、フレームメモリ３５、タイミングコントローラ３６、および表示部３７を有する。
ＩＦ３１は本発明に係る第２の通信手段に相当し、制御部３４は本発明に係る制御手段に相当し、フレームメモリ３５は本発明に係る記憶手段に相当し、タイミングコントローラ３６および表示部３７は本発明に係る表示手段に相当する。
【００３７】
ＩＦ３１は、例えば、所定のデータ回線Ｌを介して、表示装置３とデータ通信を行う。
ＩＦ３１は、例えば上述したＵＳＢＩＦであり、ＵＳＢケーブルを介して情報処理装置２のＩＦ２１と接続し、所定のＵＳＢの規格に応じたデータ通信を行う。
【００３８】
識別情報記憶部３２は、表示装置それぞれを識別するための識別情報（ＩＤ：Ｉｄｅｎｔｉｆｉｃａｔｉｏｎ）を記憶する。識別情報記憶部３２に記憶されている識別情報は、ＩＦ３１や制御部３４により読み出され、所定の識別処理に用いられる。
識別情報記憶部３２は、上述の形態に限られるものではない。例えば、ＩＦ３１やメモリ３３等に識別情報記憶部３２が含まれていてもよい。
【００３９】
メモリ３３は、ＩＦ３１で受信された表示用データを記憶する。記憶されているデータは、制御部３４やＩＦ３１により読み出される。制御部３４によりメモリ３３に記憶されているデータがＩＦ３１を介して情報処理装置２に出力されてもよい。
【００４０】
制御部３４は、メモリ３３に記憶されている表示用データに含まれる画像データＤ＿Ｐの画像効果処理を制御データＤ＿ＣＴＬに基づいて行い、第２の表示用データを生成する。
また、制御部３４は、生成した第２の表示用データを、アドレスデータＤ＿Ａに基づいてフレームメモリ３５の所定のアドレスに記憶させる。
【００４１】
制御部３４は、例えば、制御データＤ＿ＣＴＬに拡大処理制御データが含まれている場合には、当該拡大処理制御データ、および画像データＤ＿Ｐに基づいて、画像を拡大させる処理を行い、アドレスデータＤ＿Ａに基づいてフレームメモリ３５の所定のアドレスに記憶させる。
【００４２】
制御部３４は、制御データＤ＿ＣＴＬに縮小処理制御データが含まれている場合には、当該縮小処理制御データ、画像データＤ＿Ｐ、およびアドレスデータＤ＿Ａに基づいて、画像を縮小させる処理を行い、フレームメモリ３５の所定のアドレスに記憶させる。
【００４３】
制御部３４は、制御データＤ＿ＣＴＬに回転処理制御データが含まれている場合には、当該回転処理制御データ、画像データＤ＿Ｐ、およびアドレスデータＤ＿Ａに基づいて、画像を回転させる処理を行い、フレームメモリ３５の所定のアドレスに記憶させる。
【００４４】
図６は、図１に示した表示装置が制御データに応じた画像処理を説明するための図である。制御部３４の画像効果に関する処理の一具体例を図６を参照しながら説明する。例えば、画像データＤ＿Ｐとして、図６（ａ）に示すような、画像”Ａ”の場合を説明する。
【００４５】
表示装置３の制御部３４は、制御データＤ＿ＣＴＬとして、例えば縮小処理制御データが含まれている場合には、画像データＤ＿Ｐに基づいて表示サイズを縮小する処理を行う。例えば、図６（ａ）に示すような画像データＤ＿Ｐの場合には、図６（ｂ）に示すように、画像“Ａ”を縮小した画像を生成する。
例えば、縮小処理制御データＤ＿ＣＴＬには縮小率を示すデータが含まれており、制御部３４は、その縮小率を示すデータに応じた表示サイズになるように縮小処理を行う。
【００４６】
表示装置３の制御部３４は、制御データＤ＿ＣＴＬとして、例えば拡大処理制御データが含まれている場合には、画像データＤ＿Ｐに基づいて表示サイズを拡大する処理を行う。例えば、図６（ａ）に示すような画像データＤ＿Ｐの場合には、図６（ｃ）に示すように、画像“Ａ”を拡大した画像を生成する。
例えば、拡大処理制御データＤ＿ＣＴＬには拡大率を示すデータが含まれており、制御部３４は、その拡大率を示すデータに応じた表示サイズになるように拡大処理を行う。
【００４７】
表示装置３の制御部３４は、制御データＤ＿ＣＴＬとして、例えば回転処理制御データが含まれている場合には、画像データＤ＿Ｐに基づいて表示画像を回転させる処理を行う。例えば、図６（ａ）に示すような画像データＤ＿Ｐの場合には、図６（ｄ）に示すように、画像“Ａ”を回転した画像を生成する。
例えば、回転処理制御データＤ＿ＣＴＬには回転角度を示すデータが含まれており、制御部３４は、その回転角度に応じた表示画像になるように回転処理を行う。
【００４８】
また、制御部３４は、上述したように、表示用データとして、所定のブロック単位の差分データが含まれている場合には、そのブロックの位置を示すアドレスデータＤ＿Ａ、差分データである画像データに応じて第２の表示用データを生成し、フレームメモリ３５に記憶させる。
【００４９】
また、制御部３４は、表示用データに識別情報Ｄ＿ＩＤが含まれている場合には、識別情報記憶部３２に記憶されている識別情報と一致した場合（同一である場合）には、上述した所定の処理を行い、一致しない場合には、上述した処理を行わない。
【００５０】
また、制御部３４は、表示用データに含まれる制御データＤ＿ＣＴＬに基づいてアドレスデータを生成し、生成したアドレスデータに応じて画像データをフレームメモリに記憶させてもよい。
【００５１】
制御部３４は、メモリ３３に記憶されている表示用データに基づいて上述した所定の処理を行い、第２の表示用データをフレームメモリ３５に記憶させた後、メモリ３３に記憶されているデータを消去してもよい。
【００５２】
制御部３４は、例えば、フレームメモリ３５やメモリ３３に記憶されている所定のデータが何らかの要因で破壊されてしまい、表示部３７で所定の画像が表示されない等の不具合が発生した場合には、情報処理装置２に表示用データを再送させる再送制御データをＩＦ３１に送信させる。
【００５３】
情報処理装置２のＣＰＵ２６では、再送制御データがＩＦ２１で受信された場合には、要求元の表示装置３に所定の表示用データをＩＦ２１に送信させる。例えば、上述の処理は、ＵＳＢのＯＴＧの機能を用いて処理を行う。
【００５４】
また、例えば、不図示のデータ・リクエスト・ボタンを設け、制御部３４は、ユーザによりデータ・リクエスト・ボタンが操作された場合に、上述の再送制御データをＩＦ３１に送信させてもよい。
このように表示装置３から再送制御データを送信させることで、簡単に表示装置３の画像表示のリカバリーを行うことができる。
【００５５】
フレームメモリ３５は、制御部３４から出力された第２の表示用データを、アドレスデータＤ＿Ａに基づいて記憶する。
タイミングコントローラ３６は、フレームメモリ３５に記憶された第２の表示用データに基づいて、表示部３７を駆動させる駆動信号を生成し、表示部３７に出力する。
【００５６】
表示部３７は、タイミングコントローラ３６から出力された駆動信号に応じた画像を表示する。例えば表示部３７は、液晶ディスプレイや、ＣＲＴ（Ｃａｔｈｏｄｅ−ｒａｙ　ｔｕｂｅ）ディスプレイや、プラズマディスプレイ等のディスプレイである。
【００５７】
動作
図７は、図１に示した表示システムの動作の一具体例を説明するためのフローチャートである。表示システム１の動作を、表示装置３の動作を中心に図７を参照しながら簡単に説明する。
【００５８】
ステップＳＴ１において、情報処理装置２のＣＰＵ２４では、表示装置３に表示させる表示データが生成される。
この場合、ＣＰＵ２４は、例えば所定の表示装置３に表示されている画像と、その表示装置に表示せる所定の画像に応じて、表示装置の識別情報、画像データ、制御データ、およびアドレスデータＤ＿Ａを含む表示用データが生成される。
【００５９】
ステップＳＴ２において、情報処理装置２のＣＰＵ２４では、ＩＦ２１に生成された表示データをデータ回線Ｌを介して表示装置３に出力させる。
表示装置３のＩＦ３１では、情報処理装置２から出力された表示用データが受信される。
【００６０】
ステップＳＴ３において、表示装置３のメモリ３３では、ＩＦ３１で受信された表示用データが記憶される。
【００６１】
ステップＳＴ４において、制御部３４では、上述したように、表示用データに含まれる画像データＤ＿Ｐの画像効果処理が制御データＤ＿ＣＴＬに基づいて行われる。
【００６２】
ステップＳＴ５において、制御部３４では、生成した第２の表示用データを、アドレスデータＤ＿Ａに応じてフレームメモリ３５の所定のアドレスに書き込む。
【００６３】
ステップＳＴ６において、タイミングコントローラ３６では、フレームメモリ３５に記憶された第２の表示用データに応じた駆動信号が生成され表示部３７に出力される。
表示部３７では、タイミングコントローラ３６から出力された駆動信号に応じた画像が表示される。
【００６４】
以上、説明したように、表示システム１には、情報処理装置２と表示装置３とを設ける。
情報処理装置２には、表示装置に所定の画像を表示させるための、画像データＤ＿Ｐ、画像データＤ＿Ｐに画像効果処理を施す制御データＤ＿ＣＴＬ、およびアドレスデータＤ＿Ａを含む表示用データを生成するＣＰＵ２６と、表示装置３とデータ通信を行うＩＦ２１とを設ける。
【００６５】
表示装置３には、情報処理装置２とデータ通信を行うＩＦ３１と、ＩＦ３１で受信された表示用データに含まれる画像データＤ＿Ｐの画像効果処理を制御データＤ＿ＣＴＬに基づいて行い、第２の表示用データを生成する制御部３４と、アドレスデータＤ＿Ａに基づいて、制御部３４で生成された第２の表示用データを記憶するフレームメモリ３５と、フレームメモリに記憶されている第２の表示用データに応じた画像を表示するタイミングコントローラ３６と表示部３７とを設けたので、情報処理装置２の処理の負荷を軽減することができる。
【００６６】
また、情報処理装置２が差分の画像データを送信し、表示装置３がその差分の画像データに応じて画像を表示することで、効率よく画像を表示することができる。
【００６７】
また、表示装置３が、画像効果を行う画像処理を行うので、例えば情報処理装置２に複数台の表示装置３が接続された場合であっても、情報処理装置２の処理の負荷を軽減することができる。
【００６８】
例えば、一般的に複数の表示装置を情報処理装置に接続する場合には、高価なビデオカード等を増設しなければならないが、本実施の形態に係る表示装置では、安価に複数の表示装置を情報処理装置に接続することができる。
【００６９】
また、ＵＳＢを用いた場合には、情報処理装置２が１台当たり、約１００台の表示装置３を接続することができる。
例えば、本実施の形態に係る表示システムを、例えば、ビジネス・ショーなどの情報配信や証券会社などの表示システムとして用いることができる。
【００７０】
なお、本発明は本実施の形態に限られるものではなく、任意好適な種々の改変が可能である。
本実施の形態では、情報処理装置と表示装置間でＵＳＢを用いてデータ通信を行ったが、この形態に限られるものではない。例えば、所定のデータ通信を行うことができればよい。
【００７１】
データのフォーマットは、図３に示した形態に限られるものではない。
また、表示装置３の制御部３４は、情報処理装置２から出力された表示データと、表示部３７に表示されている画像に応じた表示をさせてもよい。こうすることにより、例えば、同じ表示用データを、表示装置３それぞれに出力した場合にも、各表示装置３それぞれで、所望の画像表示を行うことができる。
【００７２】
【発明の効果】
本発明によれば、情報処理装置の負荷を軽減して画像を表示する表示システム、表示装置、情報処理装置、表示方法、および情報処理方法を提供することができる。
【図面の簡単な説明】
【図１】図１は、本発明に係る表示システムの一実施の形態を示す全体図である。
【図２】図２は、図１に示した表示システムの情報処理装置と表示装置の構成を示すブロック図である。
【図３】図３は、図１に示した表示システムに係る通信データのフォーマットの一具体例を示す図である。
【図４】図４は、図１に示した表示システムの画像データの一具体例を説明するための図である。
【図５】図５は、図１に示した情報処理装置の処理を説明するための図である。
【図６】図６は、図１に示した表示装置が制御データに応じた画像処理を説明するための図である。
【図７】図７は、図１に示した表示システムの動作を説明するためのフローチャートである。
【符号の説明】
１…表示システム、２…情報処理装置、３…表示装置、２１…ＩＦ、２２…入力部、２３…表示部、２４…外部記憶部、２５…メモリ、２６…ＣＰＵ、３１…ＩＦ、３２…識別情報記憶部、３３…メモリ、３４…制御部、３５…フレームメモリ、３６…タイミングコントローラ、３７…表示部、ＢＳ…バス。
【図１】
2004144922.tif 000003
【図２】
2004144922.tif 000004
【図３】
2004144922.tif 000005
【図４】
2004144922.tif 000006
【図５】
2004144922.tif 000007
【図６】
2004144922.tif 000008
【図７】
2004144922.tif 000009